(57)【要約】【課題】混練パドルを部品点数が少なく軽量で金属コンタミを発生させないものにする。【解決手段】混練装置１の混練室２ｅの内部に配置された回転シャフト３の軸方向に複数並んで取り付けられ、少なくとも混練室２ｅの内面に近接して移動することにより、混練室２ｅの内部に投入された原材料を撹拌する混練パドル１０を、回転シャフト３の外周に嵌め込まれる軸挿通孔１１ａを有するボス部１１と、このボス部１１に連続し軸方向から見て複数の円弧を重ねた形状の複数の翼を有する羽根部１２とで一体に成形された樹脂成形品で構成する。【選択図】図１
2020006338.tif 000002
【特許請求の範囲】
【請求項１】
混練装置の混練室の内部に配置された回転シャフトの軸方向に複数並んで取り付けられ、少なくとも上記混練室の内面に近接して移動することにより、該混練室の内部に投入された原材料を撹拌する混練パドルであって、
上記回転シャフトの外周に嵌め込まれる軸挿通孔を有するボス部と、該ボス部に連続し軸方向から見て複数の円弧を重ねた形状の複数の翼を有する羽根部とが一体に成形された樹脂成形品よりなる
ことを特徴とする混練パドル。
【請求項２】
請求項１に記載の混練パドルにおいて、
上記羽根部は、上記軸挿通孔の軸方向から見て頂部が徐々に回転するように螺旋状に上記ボス部に連続している
ことを特徴とする混練パドル。
【請求項３】
請求項１又は２に記載の混練パドルが軸方向に複数並んで取り付けられた回転シャフトと、
上記回転シャフトが内部に回転可能に配置される混練室とを備えている
ことを特徴とする混練装置。
【請求項４】
混練装置の混練室の内部に配置された回転シャフトの軸方向に複数並んで取り付けられ、少なくとも上記混練室の内面に近接して移動することにより、該混練室の内部に投入された原材料を撹拌する混練パドルの製造方法であって、
樹脂製の板材又は棒材を準備する準備工程と、
上記回転シャフトの外周に嵌め込まれる軸挿通孔を有するボス部を機械加工するボス部加工工程と、
上記ボス部に連続し軸方向から見て複数の円弧を重ねた形状の複数の翼を有する羽根部を機械加工する羽根部加工工程と、
上記回転シャフトに回転一体に固定するキー溝を機械加工すると共に、仕上げ加工する仕上げ加工工程とを含む
ことを特徴とする混練パドルの製造方法。
【発明の詳細な説明】
【技術分野】
【０００１】
本発明は、混練装置に使用される混練パドル、それを備えた混練装置、及び混練パドルの製造方法に関する。
【背景技術】
【０００２】
従来より混練装置のハウジング内に軸支された回転シャフトに取り付けられ、ハウジング内に投入された原材料を撹拌するパドルが知られている。
【０００３】
例えば、図５Ａ及び図５Ｂに示すように、ボス部１１１と、羽根部１１２と、２つの補強ピン１１３とからなるパドル１１０が知られている（特許文献１参照）。この略角筒形のボス部１１１は、回転シャフトが挿通する軸孔１１１ａを有し、その軸孔１１１ａに沿って延びるキー溝１１１ｂを有し、回転シャフトをこの軸孔１１１ａに挿通させ、回転シャフトのキーにキー溝１１１ｂを嵌合させることで、パドル１１０は回転シャフトに対して、回り止めされた状態で取り付けられる。ボス部１１１は、高ニッケル材料などの耐食性の高い金属材料により形成されている。略楕円形の羽根部１１２は、その角筒形の取り付け孔１１２ａにボス部１１１が嵌め込まれて、ボス部１１１の周方向に取り巻くようにして固定されている。また羽根部１１２は、径方向に逆向きに２つの翼１１２ｂが延びており、翼１１２ｂの先端部は面取りが施されている。羽根部１１２は、フッ素樹脂により一体成型されている。円柱形の補強ピン１１３は、それぞれ一端部にねじ軸が設けられており、このねじ軸がボス部１１１のねじ孔１１１ｃにねじ込まれることでボス部１１１に固定される。これとともに、補強ピン１１３のねじ軸の設けられていない他端側は羽根部１１２の差込孔１１２ｃへと差し込まれている。補強ピン１１３は、高ニッケル材料などの耐食性の高い金属材料により形成されている。これにより、回転シャフトからトルクを伝達する部位でありもっとも強度を必要とする部位であるボス部を耐食性金属により形成し、ボス部ほどの強度を必要としない羽根部は比較的安価なフッ素樹脂により形成しているため、パドル全体を耐食性金属により形成する場合に比べて材料コストを低廉にすることができるようにしている。
【０００４】
また、特許文献２の混練パドルのように、全体が金属材料で構成され、羽根部の所定範囲に溶接硬化肉盛層が設けられたものも知られている。
【先行技術文献】
【特許文献】
【０００５】
【特許文献１】特開２０１１−２５１４６２号公報
【特許文献２】特許５７５９４２３号公報
【発明の概要】
【発明が解決しようとする課題】
【０００６】
特許文献１及び２のものでは、金属部品を含むので、金属コンタミが発生し、二次電池用材料等の金属コンタミの影響を受ける材料の混練には使用できない。特に特許文献２のように、羽根部が金属で構成されていると、原料の片寄りにより回転シャフトに曲げ荷重がかかり、ハウジングの内面や隣の回転シャフトの羽根部と接触して引っ掛かりや焼き付けを生じたり、金属コンタミが発生したりしやすい。金属コンタミが発生すると下流側で、それを取り除かなければならないが、簡易で高性能な金属除去装置は存在しない。
【０００７】
また、金属部品を含む分だけ質量が増加し、混練軸全体の重さが重くなり、それを回転させるモータ等の部品の負荷が大きくなる。
【０００８】
また、特許文献１のものでは、複数の部品を含むので、部品点数が多くなり、製造コストも高くなる。
【０００９】
さらに、特許文献２のものでは、溶接肉盛りを施さなければならず、製造工程が増えてしまう。
【００１０】
本発明は、かかる点に鑑みてなされたものであり、その目的とするところは、混練パドルを部品点数が少なく軽量で金属コンタミを発生させないものにすることにある。
【課題を解決するための手段】
【００１１】
上記の目的を達成するために、この発明では、金属部材ではなく、樹脂成形品で混練パドルを構成した。
【００１２】
具体的には、第１の発明では、
混練装置の混練室の内部に配置された回転シャフトの軸方向に複数並んで取り付けられ、少なくとも上記混練室の内面に近接して移動することにより、該混練室の内部に投入された原材料を撹拌する混練パドルを対象とする。
【００１３】
そして、上記混練パドルは、
上記回転シャフトの外周に嵌め込まれる軸挿通孔を有するボス部と、該ボス部に連続し軸方向から見て複数の円弧を重ねた形状の複数の翼を有する羽根部とが一体に成形された樹脂成形品よりなる。
【００１４】
上記の構成によると、樹脂成形品よりなるので金属部品を含まず、金属コンタミが発生しない。このため、二次電池用材料等の金属コンタミの影響を受ける材料の混練にも使用できる。また、金属部品を含まないので質量が軽く、混練軸全体の重さが軽くなり、それを回転させるモータ等の部品の負荷が小さくなる。さらに、１つの部品で構成できるので、部品点数が減り、また、溶接肉盛りも必要ないので、製造コストも低くなる。また、樹脂成形品よりなる羽根部であれば、混練室の内面に接触しても羽根部側が滑るように移動するので、内面を傷付けにくい。なお、複数の混練パドルが混練室内に配置される場合には、隣接する混練パドルの羽根部との間でも原材料が撹拌される。
【００１５】
第２の発明では、第１の発明において、
上記羽根部は、上記軸挿通孔の軸方向から見て頂部が徐々に回転するように螺旋状に上記ボス部に連続している。
【００１６】
上記の構成によると、樹脂成形品であるので、機械加工も容易で複雑な形状でも製造しやすい。このため、製造コストも抑えられる。
【００１７】
第３の発明の混練装置は、第１又は第２の発明の混練パドルが軸方向に複数並んで取り付けられた回転シャフトと、
上記回転シャフトが内部に回転可能に配置される混練室とを備えている。
【００１８】
上記の構成によると、金属コンタミの影響を受ける材料の混練にも使用でき、部品点数が少なく、製造コストが低くてモータ等の部品の負荷が小さい商品性の高い混練装置が得られる。
【００１９】
第４の発明では、混練装置の混練室の内部に配置された回転シャフトの軸方向に複数並んで取り付けられ、少なくとも上記混練室の内面に近接して移動することにより、該混練室の内部に投入された原材料を撹拌する混練パドルの製造方法を対象とする。
【００２０】
そして、上記製造方法は、
樹脂製の板材又は棒材を準備する準備工程と、
上記回転シャフトの外周に嵌め込まれる軸挿通孔を有するボス部を機械加工するボス部加工工程と、
上記ボス部に連続し軸方向から見て複数の円弧を重ねた形状の複数の翼を有する羽根部を機械加工する羽根部加工工程と、
上記回転シャフトに回転一体に固定するキー溝を機械加工すると共に、仕上げ加工する仕上げ加工工程とを含む構成とする。
【００２１】
上記の構成によると、射出成形のように、抜き勾配などを考慮する必要がなく、極めて高い寸法公差で適切な形状の混練パドルが得られる。また、樹脂材料よりなるため、硬質な金属材料に比べて機械加工が容易である。
【発明の効果】
【００２２】
以上説明したように、本発明によれば、回転シャフトの外周に嵌め込まれる軸挿通孔を有するボス部と、このボス部に連続し軸方向から見て複数の円弧を重ねた形状の複数の翼を有する羽根部とが一体に成形された樹脂成形品で構成したことにより、混練パドルを部品点数が少なく軽量で金属コンタミを発生させないものにすることができる。
【図面の簡単な説明】
【００２３】
【図１】図２のＩ−Ｉ線に対応する断面図である。
【図２】本発明の実施形態に係る混練装置を示す断面図である。
【図３Ａ】混練パドルの正面図である。
【図３Ｂ】混練パドルの側面図である。
【図４】その他の実施形態に係る混練パドルを示す斜視図である。
【図５Ａ】従来技術に係る混練パドルの正面図である。
【図５Ｂ】図５ＡのVB−VB線断面図である。
【図６】混練パドルの製造方法の概要を説明する説明図である。
【発明を実施するための形態】
【００２４】
以下、本発明の実施形態を図面に基づいて説明する。
【００２５】
−混練装置の構成−
図１及び図２に示す実施形態の混練装置１は、高腐食環境下で複数種の原材料を混練して混練物を得るのに用いられる。例えば、本実施形態では、金属コンタミを嫌う電池、半導体などの分野で用いられる材料に適している。特に車載用電池業界の品質規格への対応のために有効である。
【００２６】
この混練装置１は、例えば、２連円筒形のハウジング２を備え、このハウジング２は、その外周面の一端上部に原材料の投入口２ａを有し、外周面の他端下部に混練物の排出口２ｂを有する。例えば、この排出口２ｂには多孔のダイスが被せられている。また、ハウジング２の両端面には、軸受が組み込まれた軸受箱２ｃが取り付けられている。
【００２７】
混練装置１の、ハウジング２のトラフ２ｄで区切られる混練室２ｅ内には、一対の平行な回転シャフト３が水平方向に配設されている。各回転シャフト３は、ハウジング２の両端面の軸受箱２ｃの軸受により回転可能に支持されており、図示省略の機構により駆動及び停止されるようになっている。回転シャフト３は、その外周面に軸方向に延びる断面矩形状のキー３ａを有する。この回転シャフト３の外周には、複数のスクリュ４及び混練パドル１０が回転シャフト３と一体に回転するように取り付けられている。なお、ジャケット２ｆ内には熱媒体が流通可能となっている。
【００２８】
これら一対の回転シャフト３を互いに同方向回転に駆動させた状態で、ハウジング２の投入口２ａから原材料を投入すると、回転する混練パドル１０により原材料は撹拌されて混練物となる。これが回転するスクリュ４によりハウジング２内を排出口２ｂに向けて送られ、最後は排出口２ｂから多孔ダイスを通じて均質な状態となって排出されるようになっている。
【００２９】
この一対の回転シャフト３には、混練パドル１０がいずれも取付け角度を例えば４５度ずつ変えて組み込まれている。対応する左右一対の混練パドル１０は、いずれも位相が９０度ずれた状態で組み込まれている。
【００３０】
図３Ａ及び図３Ｂに示すように、混練パドル１０は、回転シャフト３の外周に嵌め込まれる軸挿通孔１１ａを有するボス部１１と、このボス部１１に連続し軸方向から見て複数の円弧を重ねた形状の複数の翼を有する羽根部１２とが一体に成形された樹脂成形品よりなる。ボス部１１の内面には、回転シャフト３のキー３ａが嵌合するキー溝１１ｂが軸挿通孔１１ａの軸方向に延びるように一体に形成されている。例えば、高い耐熱性、機械特性を備えるスーパーエンジニアリングプラスチックである、ＰＥＥＫ（ポリエーテルエーテルケトン）樹脂や、エンジニアリングプラスチックであり、耐疲労性に優れたＰＯＭ（ポリアセタール）樹脂、ＭＣナイロン（登録商標）樹脂、ＰＴＦＥ（ポリテトラフルオロエチレン）樹脂、繊維強化プラスチック等の板材、棒材等から機械加工することにより、混練パドル１０を一体に形成するとよい。
【００３１】
本実施形態では、一対の混練パドル１０は、常に一方の先端（頂部１２ａ）が他方の円弧面をこするように近接して回転し、またトラフ２ｄの内面と混練パドル１０との隙間も小さいため、混練パドル１０やトラフ２ｄの内面に材料の付着が抑えられるセルフクリーニング作用を有し、さらに、混練パドル１０と対応する混練パドル１０間、トラフ２ｄの内面と混練パドル１０間での剪断作用も有する。
【００３２】
−混練パドルの製造方法−
次に、混練パドル１０の製造方法について図６を用いて説明する。
【００３３】
本実施形態の混練パドル１０の製造方法では、まず、準備工程において、樹脂製の板材又は棒材の素材を準備する。例えば、ＰＥＥＫ樹脂、ＰＯＭ樹脂、ＭＣナイロン樹脂、ＰＴＦＥ樹脂、繊維強化プラスチック等の板材、棒材等を準備する。
【００３４】
次いで、ボス部加工工程において、例えば旋盤により、回転シャフト３の外周に嵌め込まれる軸挿通孔１１ａを有するボス部１１を一次加工する。
【００３５】
次いで、羽根部加工工程において、ボス部１１に連続する羽根部１２をマシニング等により、二次加工する。
【００３６】
次いで、仕上げ加工工程において、回転シャフト３に回転一体に固定するキー溝１１ｂを機械加工すると共に、寸法公差を確保するために仕上げ加工（三次加工）をする。
【００３７】
このように製造すれば、射出成形のように、抜き勾配などを考慮する必要がなく、極めて高い寸法公差（例えば、０．０５ｍｍ）で適切な形状の混練パドル１０が得られる。また、硬質な金属材料に比べて機械加工が容易である。
【００３８】
−実施例−
そしてこのように製造した複数の混練パドル１０を実施例として上記混練装置１の一対の回転シャフト３にいずれも取付け角度を４５度ずつ変えて組み込み、混練室２ｅ内で実際に使用してみた。
【００３９】
例えば、電池材料であるリン酸鉄系の原料を投入して所定時間運転し、摩耗データを採取して比較してみた。上記実施形態を利用したＰＥＥＫ樹脂、ＰＯＭ樹脂、ＭＣナイロン及び従来技術であるＳＵＳ製の混練パドルで、回転数３００ｒｐｍで３６０時間稼働させた後、パドル外径及びパドル質量の変化を調べた。
【００４０】
すると、いずれの樹脂材料の実施例も従来のＳＵＳ材料に劣らない耐摩耗性能を有することがわかった。
【００４１】
このように、本実施形態では、混練パドル１０が樹脂成形品のみよりなるので金属部品を含まず、金属コンタミが発生しない。このため、二次電池用材料等の金属コンタミの影響を受ける材料の混練にも使用できる。また金属コンタミ除去のための金属除去装置も必要としない。
【００４２】
また、金属部品を含まないので質量が軽く、回転シャフト３全体の重さが軽くなり、それを回転させるモータ等の部品の負荷が小さくなる。さらに、１つの部品で構成できるので、部品点数が減り、製造コストも低くなる。
【００４３】
また、本実施形態により、金属コンタミの影響を受ける材料の混練にも使用でき、部品点数が少なくて製造コストが低く、モータ等の部品の負荷が小さい商品性の高い混練装置１が得られる。
【００４４】
したがって、本実施形態に係る混練パドル１０によると、回転シャフト３の外周に嵌め込まれる軸挿通孔１１ａを有するボス部１１と、このボス部１１に連続し軸方向から見て複数の円弧を重ねた形状の複数の翼を有する羽根部１２とが一体に成形された樹脂成形品で構成したことにより、混練パドル１０を部品点数が少なく軽量で金属コンタミを発生させないものにすることができる。
【００４５】
（その他の実施形態）
本発明は、上記実施形態について、以下のような構成としてもよい。
【００４６】
すなわち、図４に示すような羽根部１２’が軸挿通孔１１ａの軸方向から見て頂部１２ａ’が徐々に回転するように螺旋状にボス部１１’に連続している形状の混練パドル１０’にも本発明が適用可能である。この実施形態でも、混練パドル１０’が樹脂成形品で一体成形されるので、機械加工も容易で複雑な形状でも製造しやすい。このため、製造コストも抑えられる。
【００４７】
また、詳しくは図示しないが、略三角形のおにぎり型形状をしており、上記実施形態と同様に、キー溝を介して回転シャフトが取付けられる軸挿通孔が形成されたボス部と、その回転中心の周りの３等配分位置に外方に膨出した３つの円弧面が形成された膨出部とを有するパドル本体を備えた混練パドルについても同様の作用効果が得られる。このパドル本体は、３つの頂部を有する。この場合も、パドル本体は、図４の実施形態と同様に、撹拌機能の他に送り機能をも持たせるため、上記翼の頂部が１つの螺旋上に存在するように一定方向に捩られて形成されていてもよい。
【００４８】
さらに、上記実施形態では、１つの混練室２ｅ内に２本の回転シャフト３を設けているが、１本の回転シャフト３のみを設けてもよい。
【００４９】
なお、以上の実施形態は、本質的に好ましい例示であって、本発明、その適用物や用途の範囲を制限することを意図するものではない。
【符号の説明】
【００５０】
１      混練装置 
２      ハウジング 
２ａ    投入口 
２ｂ    排出口 
２ｃ    軸受箱 
２ｄ    トラフ 
２ｅ    混練室 
２ｆ    ジャケット 
３      回転シャフト 
３ａ    キー 
４      スクリュ 
１０，１０’    混練パドル 
１１      ボス部 
１１ａ    軸挿通孔 
１１ｂ    キー溝
１２      羽根部 
１２ａ    頂部 
【図１】
2020006338.tif 000003
【図２】
2020006338.tif 000004
【図３Ａ】
2020006338.tif 000005
【図３Ｂ】
2020006338.tif 000006
【図４】
2020006338.tif 000007
【図５Ａ】
2020006338.tif 000008
【図５Ｂ】
2020006338.tif 000009
【図６】
2020006338.tif 000010